(57)【要約】【課題】部品点数の減少を図り、それによりコストアップを抑制することのできる自動販売機の内扉用ヒンジ構造。【解決手段】本体枠１と内扉６とのいずれか一方に第１ヒンジ手段１４が、他方に第２ヒンジ手段２２が設けられて、内扉６が回動開閉自在で脱着自在に構成されている自動販売機の内扉用ヒンジ構造で、第１ヒンジ手段が、ヒンジ本体部１５とヒンジ本体部１５から横方向に突出する係合突片１８を備えたヒンジ部材１４で構成され、第２ヒンジ手段が、ヒンジ開口部２２で構成され、係合突片１８をヒンジ開口部２２に挿入した状態で、係合突片１８がヒンジ開口部２２に係合して係合部近傍を中心として、内扉６が上下方向軸心周りに回動開閉するように構成されている。【選択図】　　　　図２
2004030436.tif 000002
【特許請求の範囲】
【請求項１】
自動販売機の本体枠と外扉の内側に位置する内扉とのいずれか一方に第１ヒンジ手段が、他方に第２ヒンジ手段が設けられて、前記内扉が前記本体枠に対して上下方向軸心周りに回動開閉自在に、かつ、脱着自在に構成されている自動販売機の内扉用ヒンジ構造であって、
前記第１ヒンジ手段が、上下方向に幅を有するヒンジ本体部とそのヒンジ本体部から横方向に突出する係合突片を備えたヒンジ部材で構成され、
前記第２ヒンジ手段が、前記ヒンジ本体部と係合突片の挿入を許容し、かつ、前記係合突片と係合してその抜け出しを阻止するヒンジ開口部で構成され、
前記ヒンジ部材の係合突片を前記ヒンジ開口部に挿入した状態で、その係合突片の基部とヒンジ開口部との係合部近傍を中心として、前記内扉が上下方向軸心周りに回動開閉するように構成されている自動販売機の内扉用ヒンジ構造。
【請求項２】
自動販売機の本体枠と外扉の内側に位置する内扉とのいずれか一方に第１ヒンジ手段が、他方に第２ヒンジ手段が設けられて、前記内扉が前記本体枠に対して上下方向軸心周りに回動開閉自在に、かつ、脱着自在に構成されている自動販売機の内扉用ヒンジ構造であって、
前記第１ヒンジ手段が、上下方向に幅を有するヒンジ本体部とそのヒンジ本体部から横方向に突出する係合突片を備えたヒンジ部材で構成され、
前記第２ヒンジ手段が、前記ヒンジ本体部と係合突片の挿入を許容する幅広開口部と、前記ヒンジ本体部の挿入を許容し、かつ、前記係合突片と係合してその抜け出しを阻止する幅狭開口部を備えたヒンジ開口部で構成され、
前記ヒンジ部材のヒンジ本体部と係合突片を前記ヒンジ開口部の幅広開口部に挿入した状態での両者の相対的落とし込みにより、前記係合突片が前記幅狭開口部に係合して、その係合突片の基部と幅狭開口部との係合部近傍を中心として、前記内扉が上下方向軸心周りに回動開閉するように構成されている自動販売機の内扉用ヒンジ構造。
【請求項３】
前記ヒンジ部材が、前記内扉に設けられ、前記ヒンジ開口部が、その幅広開口部を上方に幅狭開口部を下方に位置させて前記本体枠に設けられている請求項２に記載の自動販売機の内扉用ヒンジ構造。
【請求項４】
前記ヒンジ部材が、回動規制突片を備えていて、前記内扉の回動開き操作に伴って、その回動規制突片が前記本体枠側の被当接部に当接して前記内扉の開き角度を規制するように構成されている請求項３に記載の自動販売機の内扉用ヒンジ構造。
【発明の詳細な説明】
【０００１】
【発明の属する技術分野】
本発明は、自動販売機の本体枠と外扉の内側に位置する内扉とのいずれか一方に第１ヒンジ手段が、他方に第２ヒンジ手段が設けられて、前記内扉が前記本体枠に対して上下方向軸心周りに回動開閉自在に、かつ、脱着自在に構成されている自動販売機の内扉用ヒンジ構造に関する。
【０００２】
【従来の技術】
自動販売機の内扉は、商品補充時などに開閉する必要があり、また、メンテナンス時などには、メンテナンスを容易にするために取り外す必要もあり、当然、取り外した内扉を再び取り付ける必要もある。
そこで、従来、第１ヒンジ手段と第２ヒンジ手段を共に円筒状金具で構成し、その両円筒状金具間に頭部付きピン部材を挿通することにより、ピン部材を中心として上下方向軸心周りに回動開閉自在に、かつ、ピン部材を抜き取ることにより脱着できるように構成したヒンジ構造などが知られている（例えば、特開平１０−１０５８１４号公報参照）。
【０００３】
【発明が解決しようとする課題】
ところが、上述した従来のヒンジ構造では、本体枠と内扉側にそれぞれ円筒状金具が必要となり、それに加えて、両円筒状金具間に挿通するピン部材も必要で、少なくとも合計３つ部材を必要する。
さらに、内扉の開閉を円滑にするとともに、内扉の保持を確実にするため、通常、そのヒンジを少なくとも上下に一対設けることが多く、その場合には、少なくとも合計６つの部品が必要となり、部品点数の増加によってコストアップを招くおそれがある。
【０００４】
本発明は、このような従来の問題点に着目したもので、その目的は、部品点数の減少を図り、それによりコストアップを抑制することのできる自動販売機の内扉用ヒンジ構造を提供することにある。
【０００５】
【課題を解決するための手段】
〔構成〕
請求項１の発明の特徴構成は、自動販売機の本体枠と外扉の内側に位置する内扉とのいずれか一方に第１ヒンジ手段が、他方に第２ヒンジ手段が設けられて、前記内扉が前記本体枠に対して上下方向軸心周りに回動開閉自在に、かつ、脱着自在に構成されている自動販売機の内扉用ヒンジ構造であって、前記第１ヒンジ手段が、上下方向に幅を有するヒンジ本体部とそのヒンジ本体部から横方向に突出する係合突片を備えたヒンジ部材で構成され、前記第２ヒンジ手段が、前記ヒンジ本体部と係合突片の挿入を許容し、かつ、前記係合突片と係合してその抜け出しを阻止するヒンジ開口部で構成され、前記ヒンジ部材の係合突片を前記ヒンジ開口部に挿入した状態で、その係合突片の基部とヒンジ開口部との係合部近傍を中心として、前記内扉が上下方向軸心周りに回動開閉するように構成されている点にある。
【０００６】
〔作用効果〕
請求項１の発明によれば、第１ヒンジ手段が、上下方向に幅を有するヒンジ本体部とそのヒンジ本体部から横方向に突出する係合突片を備えたヒンジ部材で構成され、第２ヒンジ手段が、前記ヒンジ本体部と係合突片の挿入を許容し、かつ、係合突片と係合してその抜け出しを阻止するヒンジ開口部で構成されているので、内扉用ヒンジ構造は、ヒンジ部材とヒンジ開口部との２つの部材で構成することが可能となる。
そして、ヒンジ部材の係合突片をヒンジ開口部に挿入した状態で、その係合突片の基部とヒンジ開口部との係合部近傍を中心として、内扉が上下方向軸心周りに回動開閉するように構成されているので、自動販売機の内扉に要求される回動開閉と脱着は、所望通りに行うことができ、その結果、部品点数の減少によるコストアップの抑制が可能となる。
【０００７】
〔構成〕
請求項２の発明の特徴構成は、自動販売機の本体枠と外扉の内側に位置する内扉とのいずれか一方に第１ヒンジ手段が、他方に第２ヒンジ手段が設けられて、前記内扉が前記本体枠に対して上下方向軸心周りに回動開閉自在に、かつ、脱着自在に構成されている自動販売機の内扉用ヒンジ構造であって、前記第１ヒンジ手段が、上下方向に幅を有するヒンジ本体部とそのヒンジ本体部から横方向に突出する係合突片を備えたヒンジ部材で構成され、前記第２ヒンジ手段が、前記ヒンジ本体部と係合突片の挿入を許容する幅広開口部と、前記ヒンジ本体部の挿入を許容し、かつ、前記係合突片と係合してその抜け出しを阻止する幅狭開口部を備えたヒンジ開口部で構成され、前記ヒンジ部材のヒンジ本体部と係合突片を前記ヒンジ開口部の幅広開口部に挿入した状態での両者の相対的落とし込みにより、前記係合突片が前記幅狭開口部に係合して、その係合突片の基部と幅狭開口部との係合部近傍を中心として、前記内扉が上下方向軸心周りに回動開閉するように構成されている点にある。
【０００８】
〔作用効果〕
請求項２の発明によれば、第１ヒンジ手段が、上下方向に幅を有するヒンジ本体部とそのヒンジ本体部から横方向に突出する係合突片を備えたヒンジ部材で構成され、第２ヒンジ手段が、前記ヒンジ本体部と係合突片の挿入を許容する幅広開口部と、ヒンジ本体部の挿入を許容し、かつ、係合突片と係合してその抜け出しを阻止する幅狭開口部を備えたヒンジ開口部で構成されているので、内扉用ヒンジ構造は、ヒンジ部材とヒンジ開口部との２つの部材で構成することが可能となる。
そして、ヒンジ部材のヒンジ本体部と係合突片をヒンジ開口部の幅広開口部に挿入した状態での両者の相対的落とし込みにより、係合突片が幅狭開口部に係合して、その係合突片の基部と幅狭開口部との係合部近傍を中心として、内扉が上下方向軸心周りに回動開閉するように構成されているので、自動販売機の内扉に要求される回動開閉と脱着は、所望通りに行うことができ、その結果、部品点数の減少によるコストアップの抑制が可能となる。
【０００９】
〔構成〕
請求項３の発明の特徴構成は、請求項２の発明において、前記ヒンジ部材が、前記内扉に設けられ、前記ヒンジ開口部が、その幅広開口部を上方に幅狭開口部を下方に位置させて前記本体枠に設けられている点にある。
【００１０】
〔作用効果〕
請求項３の発明によれば、ヒンジ部材が、内扉に設けられ、ヒンジ開口部が、その幅広開口部を上方に幅狭開口部を下方に位置させて自動販売機の本体枠に設けられているので、内扉を取り外した状態において、本体枠側からのヒンジ部材の突出を回避することができる。
すなわち、突出するヒンジ部材が内扉に設けられているので、その内扉を取り外せば、本体枠側にはヒンジ開口部があるだけで、特に突出する部材もなく、したがって、内扉を取り外してのメンテナンス作業などをより一層容易に行うことができる。
【００１１】
〔構成〕
請求項４の発明の特徴構成は、請求項３の発明において、前記ヒンジ部材が、回動規制突片を備えていて、前記内扉の回動開き操作に伴って、その回動規制突片が前記本体枠側の被当接部に当接して前記内扉の開き角度を規制するように構成されている点にある。
【００１２】
〔作用効果〕
請求項４の発明によれば、ヒンジ部材が、回動規制突片を備えていて、内扉の回動開き操作に伴って、その回動規制突片が本体枠側の被当接部に当接して内扉の開き角度を規制するように構成されているので、内扉の開き角度を所望の角度に設定することによって、内扉が必要以上に開いて他物などに当接することが回避でき、しかも、そのための回動規制突片はヒンジ部材に設けられているので、殊更、部品点数を増やすことなく、内扉の開き角度を確実に規制することができる。
【００１３】
【発明の実施の形態】
本発明による自動販売機の内扉用ヒンジ構造につき、その実施の形態を図面に基づいて説明する。
自動販売機は、商品に応じて種々の構造のものがあり、例えば、缶入りや瓶入りの飲料水用であれば、図１に示すように、本体枠としてのキャビネット１の前面に上下方向軸心周りに回動開閉自在な外扉２が取り付けられ、キャビネット１内には、商品収納払い出し装置３が収納されていて、商品収納払い出し装置３の下方には、商品払い出し用のシュート４が配設されている。
外扉２の内側には、断熱材を内装した上方内扉５と下方内扉６が位置され、上方内扉５は外扉２に対して、下方内扉６はキャビネット１に対して、それぞれ上下方向軸心周りに回動開閉自在に取り付けられ、下方内扉６には、シュート４に対応する開口部７が設けられて、断熱材で製作された上端側を支点として揺動開閉自在な小扉８により覆われている。
【００１４】
商品収納払い出し装置３は、上下方向に長く、かつ、横方向に並列する複数の商品コラム９を備え、各商品コラム９が、側板１０により横方向に仕切られた各空間に収納されるとともに、メンテナンス時などに備えて前方側へ引き出して取り外せるように構成されている。
各商品コラム９は、その上方に商品投入口１１を備え、商品投入口１１から投入された缶入りや瓶入りなどの商品（図示せず）を横向きに寝かせて収納し、購買者の要求に応じて、必要な商品をシュート４から下方内扉６の開口部７を介して外扉２の商品取り出し部１２に１個ずつ払い出すように構成されている。
この複数の商品コラム９からなる商品収納払い出し装置３の下方には機器収納部１３が配設されて、室外機や自動販売機の制御機器類が収納されている。
【００１５】
商品コラム９を前方へ引き出す際、外扉２に取り付けられた上方内扉５は問題ないが、キャビネット１に取り付けられた下方内扉６の方は、最も左側に位置する商品コラム９を引き出すのに邪魔になり、そのため、下方内扉６は、キャビネット１に対して回動開閉自在のみならず、着脱自在に構成されている。
具体的には、図２〜図４に詳しく示すように、下方内扉６には、第１ヒンジ手段としてのヒンジ部材１４が、その上方と下方とに一対取り付けられている。
両ヒンジ部材１４は、上下の勝手違いはあるものの、実質的に同じ構成であり、金属製の板材を折曲して一体的に形成され、上下方向に幅を有するヒンジ本体部１５と、そのヒンジ本体部１５に対してほぼ直角に折曲された取り付け辺部１６を備え、取り付け辺部１６には、ボルト孔１７が穿設されている。
【００１６】
ヒンジ本体部１５からは、そのヒンジ本体部１５に対してほぼ直交して横方向に突出する係合突片１８が突設され、かつ、係合突片１８の上方においては、ヒンジ本体部１５が係合突片１８を越えて延出されて、その延出部分が、回動規制突片１９として機能するように構成されている。
上方のヒンジ部材１４においては、取り付け辺部１６の上方部分がほぼ直角に折曲されて、その折曲部分が、下方内扉６の上辺部６ａに当接する位置決め突片２０として機能するように、下方のヒンジ部材１４においては、取り付け辺部１６の下方部分がほぼ直角に折曲されて、下方内扉６の下辺部６ｂに当接する位置決め突片２０として機能するように構成されている。
そして、この上方と下方に位置するヒンジ部材１４が、各位置決め突片２０を下方内扉６の上辺部６ａまたは下辺部６ｂに当接させ、かつ、取り付け辺部１６を下方内扉６の横辺部６ｃに沿わせた状態で、それぞれボルト２１によって下方内扉６に取り付けられている。
【００１７】
キャビネット１側には、下方内扉６に取り付けられた両ヒンジ部材１４に対応して、第２ヒンジ手段としてのヒンジ開口部２２が上下に一対設けられている。両ヒンジ開口部２２は、全く同じ構成で、上方に位置する幅広開口部２３と、その幅広開口部２３に連続して開口する幅狭開口部２４により構成されている。図３と図４を参照して、幅広開口部２３の開口幅Ｗ１は、ヒンジ部材１４におけるヒンジ本体部１５からの係合突片１８の突出幅Ｗ３とヒンジ部材１４の板厚ｔとの和よりも若干大きく、すなわち、Ｗ１＞Ｗ３＋ｔに設定され、幅狭開口部２４の開口幅Ｗ２は、係合突片１８の突出幅Ｗ３よりも小さく、かつ、ヒンジ部材の板厚ｔよりも若干大きく、すなわち、Ｗ３＞Ｗ２＞ｔに設定されている。
そして、幅広開口部２３の上下方向での開口長さＬ１は、係合突片１８の上下長さＬ３、回動規制突片１９の上下長さＬ４、ならびに、係合突片１８と回動規制突片１９との間の隙間長さＬ５との和よりも若干長く、すなわち、Ｌ１＞Ｌ３＋Ｌ４＋Ｌ５に設定され、幅狭開口部２４の開口長さＬ２は、係合突片１８の上下長さＬ３とほぼ同じに設定されている。
【００１８】
つぎに、自動販売機のキャビネット１に対して下方内扉６を脱着する際の手順について説明する。
キャビネット１に下方内扉６を装着するには、上下のヒンジ部材１４とヒンジ開口部２２を互いに対応させて、ヒンジ部材１４のヒンジ本体部１５と係合突片１８をヒンジ開口部２２の幅広開口部２３に挿入する。
幅広開口部２３は、その開口幅Ｗ１が、係合突片１８の突出幅Ｗ３とヒンジ部材１４の板厚ｔとの和よりも大きく、かつ、その開口長さＬ１が、係合突片１８の上下長さＬ３とヒンジ本体部１５を含む回動規制突片１９の上下長さＬ４などとの和よりも長く設定されているので、ヒンジ本体部１５を含む回動規制突片１９と係合突片１８とを楽に挿入することができる。
【００１９】
このようにヒンジ開口部２２の幅広開口部２３に回動規制突片１９や係合突片１８を挿入した状態で、下方内扉６を下方に移動させると、下方内扉６に取り付けられた両ヒンジ部材１４が下方に落とし込まれ、係合突片１８の基部が幅狭開口部２４に係合して係合突片１８の抜け出しが阻止されるとともに、係合突片１８の下端縁が幅狭開口部２４の上端縁に当接して、下方内扉６がキャビネット１に保持される。
この状態で下方内扉６を回動させると、図５の（イ）、（ロ）に示すように、下方内扉６は、係合突片１８の基部と幅狭開口部２４との係合部近傍に設定される上下方向軸心Ｐを中心として回動操作され、したがって、下方内扉６を自由に開閉することができる。
【００２０】
そして、下方内扉６を回動させて開き操作する際には、ヒンジ部材１４の回動規制突片１９が、キャビネット１側の被当接部２５に当接して下方内扉６の開き角度を規制するので、下方内扉６が必要以上に開かれるのが回避される。
また、メンテナンス時などに商品コラム９を前方側へ引き出す際、下方内扉６が邪魔になるようであれば、上述と逆の手順によって、下方内扉６をキャビネット１から楽に取り外すことができる。
さらに、下方内扉６を閉じ、かつ、外扉２を閉じた状態では、下方内扉６と上方内扉５とがキャビネット１の前面を完全に覆うことになり、外扉２の上方に陳列してある商品見本を取り換える際には、上方内扉５を開いて取り換えることになる。
商品を補充する場合には、下方内扉６は閉じたままで行われる関係上、下方内扉６の開閉頻度は少なく、それを支持するヒンジ構造の耐久性が劣っていても、それによる影響は極めて少なく、上述のような簡易なヒンジ構造でも充分に使用に耐え得る。
【００２１】
〔別実施形態〕
つぎに、別の実施形態について説明するが、重複説明を避けるため、先の実施形態で説明した構成部品や同じ作用を有する構成部品については、同じ符号を付すことで説明を省略し、主として先の実施形態と異なる構成についてのみ説明する。
【００２２】
（１）先の実施形態では、上方のヒンジ部材１４において、その取り付け辺部１６の上方部分を折曲して位置決め突片２０とし、下方のヒンジ部材１４において、その取り付け辺部１６の下方部分を折曲して位置決め突片２０とした例を示したが、図６に示すように、上下のヒンジ部材１４共、その取り付け辺部１６の上方部分を折曲して位置決め突片２０とすることもできる。
その場合には、下方内扉６の横辺部６ｃに下方ヒンジ部材１４の位置決め突片２０が挿入するスリット２６を設ける必要はあるが、上下のヒンジ部材１４を共用することができるので、一層のコストアップ抑制が可能となる。
【００２３】
（２）これまでの実施形態では、上下のヒンジ部材１４において、その係合突片１８の上方に回動規制突片１９を設けた例を示したが、回動規制突片１９をなくして実施することもできる。
その場合には、図７に示すように、ヒンジ部材１４の先端側が単純なＬ字形状となるため、ヒンジ部材１４の板厚ｔよりも若干大きな幅を有するヒンジ開口部２２Ａを設けるだけで、図７の（イ）に示すように、係合突片１８やヒンジ本体部１５の挿入、および、取り外しが可能となり、図７の（ロ）に示すように、係合突片１８をヒンジ開口部２２Ａに挿入した状態で、その係合突片１８の基部とヒンジ開口部２２Ａとの係合部近傍を中心として、下方内扉６が上下方向軸心Ｐ周りに回動開閉することになる。
【００２４】
（３）これまでの実施形態では、内扉６側にヒンジ部材１４を取り付け、キャビネット１側にヒンジ開口部２２，２２Ａを設けた例を示したが、これとは逆に、内扉６側にヒンジ開口部２２，２２Ａを設け、キャビネット１側にヒンジ部材１４を取り付けて実施することもできる。
ただし、その場合、図２〜図６に示した実施形態では、ヒンジ開口部２２を上下方向で逆にし、幅広開口部２３を下方に幅狭開口部２４を上方に位置させて設ける必要がある。
【００２５】
（４）これまでの実施形態では、ヒンジ部材１４に対して取り付け辺部１６や位置決め突片２０などを一体的に設けた例を示したが、これらの構成部品１６，２０については必ずしも必要不可欠なものではなく、例えば、取り付け辺部１６をなくして、ヒンジ本体部１５を内扉６側に溶接付けするなど、実際の実施に際しては種々の改変が可能である。
【図面の簡単な説明】
【図１】自動販売機の全体を示す斜視図
【図２】自動販売機のヒンジ構造を示す分解斜視図
【図３】自動販売機のヒンジ構造を示す分解斜視図
【図４】ヒンジ部材を示す上面図、正面図、および、側面図
【図５】内扉の回動状態を示すヒンジ構造の横断上面図
【図６】別の実施形態によるヒンジ構造を示す分解斜視図
【図７】別の実施形態による内扉の回動状態を示すヒンジ構造の横断上面図
【符号の説明】
１　　　　本体枠
２　　　　外扉
６　　　　内扉
６ａ　　　内扉の上辺部
６ｂ　　　内扉の下辺部
６ｃ　　　内扉の横辺部
１４　　　第１ヒンジ手段としてのヒンジ部材
１５　　　ヒンジ本体部
１６　　　取り付け辺部
１８　　　係合突片
１９　　　回動規制突片
２０　　　位置決め突片
２２　　　第２ヒンジ手段としてのヒンジ開口部
２２Ａ　　第２ヒンジ手段としてのヒンジ開口部
２３　　　幅広開口部
２４　　　幅狭開口部
２５　　　本体枠側の被当接部
Ｐ　　　　上下方向軸心
【図１】
2004030436.tif 000003
【図２】
2004030436.tif 000004
【図３】
2004030436.tif 000005
【図４】
2004030436.tif 000006
【図５】
2004030436.tif 000007
【図６】
2004030436.tif 000008
【図７】
2004030436.tif 000009